(57)【特許請求の範囲】
【請求項１】
読み取り領域の表面に原稿を支持する透明な原稿台と、
前記原稿台の縁部において、前記原稿台を前記表面から押さえる不透明な枠体と、
前記原稿台の裏面側において前記原稿台と平行な走査方向に移動しつつ、前記原稿台に支持された前記原稿を、前記原稿台を通して読み取る読取ヘッドと、
前記原稿台および前記枠体の間に配置され、前記枠体の裏面まで移動した前記読取ヘッドが読み取って色較正の基準とする基準色の表面、および、前記枠体の裏面まで移動した前記読取ヘッドが読み取って位置較正の基準とする標識となる、前記走査方向について一の位置に形成された透孔を有する色基準板と
を備え、
前記透孔を含む領域において、前記枠体の裏面が前記色基準板から離間し、
前記色基準板は、前記枠体が離間した領域において、当該色基準板の表面よりも低い反射率を有する
画像読取装置。
【請求項２】
前記枠体は、前記透孔よりも広い領域において前記色基準板から離間する請求項１に記載の画像読取装置。
【請求項３】
前記枠体は、前記透孔よりも広い領域において前記色基準板から離間して、
前記枠体の縁が、透孔に現れない請求項１または２に記載の画像読取装置。
【請求項４】
前記枠体は、前記色基準板から離間した領域において、反射率の低い粗面を有する請求項１から３のいずれか１項に記載の画像読取装置。
【請求項５】
前記透孔は、前記走査方向に係る前記色基準板の端部のうち、前記読み取り領域から遠い側の端部に寄せて配置され、且つ、前記走査方向について非対称な輪郭を有する請求項１から４のいずれか１項に記載の画像読取装置。
【発明の詳細な説明】
【技術分野】
【０００１】
本発明は、画像読取装置に関する。より詳細には、原稿を走査することにより原稿の画像を読み取る読取ヘッドを備えた画像読取装置に関する。
【背景技術】
【０００２】
原稿から画像を読み取って画像情報を電子情報化する画像読取装置がある。画像読取装置には、固定された読み取りセンサに対して原稿を移動させながら画像を読み取る構造と、固定された原稿に対して読取ヘッドが移動しながら画像を読み取る構造とがある。
【０００３】
下記の特許文献１には、読取ヘッドが移動する構造の画像読取装置において、読み取りセンサのシェーディングで使用色基準板の外縁を読取ヘッドの位置基準とすることが記載されている。また、下記の特許文献２には、読取ヘッドが移動する構造の画像読取装置において、色基準となる白色シートに、位置基準となる透孔を設けることが記載されている。
【特許文献１】特開２００１−２４５１１４号公報
【特許文献２】特開２００６−２９５４９９号公報
【発明の開示】
【発明が解決しようとする課題】
【０００４】
しかしながら、特許文献１に記載の構造は、読取ヘッドの位置を較正する場合に、色基準板の読み取り位置を含む読取ヘッドの移動範囲の更に外側まで読取ヘッドを移動させなければならない。このため、読取ヘッドの移動方向について読取装置が大型化する。
【０００５】
特許文献２に記載の構造は、読取ヘッド側からみて透孔の直後にキャビネットの内面が位置する。このため、透孔とその周囲の間でコントラストが不足しがちで、位置基準となる透孔を検出し難い。
【課題を解決するための手段】
【０００６】
上記課題を解決すべく、本発明の第１の形態として、読み取り領域の表面に原稿を支持する透明な原稿台と、原稿台の縁部において、原稿台を表面から押さえる不透明な枠体と、原稿台の裏面側において原稿台と平行な走査方向に移動しつつ、原稿台に支持された原稿を、原稿台を通して読み取る読取ヘッドと、原稿台および枠体の間に配置され、枠体の裏面まで移動した読取ヘッドが読み取って色較正の基準とする基準色の表面、および、枠体の裏面まで移動した読取ヘッドが読み取って位置較正の基準とする標識となる、走査方向について一の位置に形成された透孔を有する色基準板とを備え、透孔を含む領域において、枠体の裏面が色基準板から離間している画像読取装置が提供される。これにより、画像読取装置の部品点数を増加させることなく位置基準標識を形成できる。また、この位置基準標識は、読取ヘッド側から見た場合に、透孔の内部と周囲との間に高い光学的コントラストがあるので、検出が確実且つ容易になる。
【０００７】
上記画像読取装置において、枠体は、透孔よりも広い領域において色基準板から離間してもよい。これにより、透孔の輪郭付近に明瞭な光学的コントラストが形成される。また、枠体に対する透孔の位置合わせが容易なので、画像読取装置の組み立て作業も容易になる。
【０００８】
また、上記画像読取装置において、枠体は、色基準板から離間した領域において、色基準板の表面よりも低い反射率を有してもよい。これにより、透孔およびその周囲の間のコントラストはより明瞭となり、位置基準標識としての透孔を容易且つ確実に検出できる。
【０００９】
更に、上記画像読取装置において、枠体は、色基準板から離間した領域において、反射率の低い粗面を有してもよい。これにより、当該領域の反射率低減を、枠体の成形と同時に実現できる。従って、画像読取装置の製造工数を増すことなく、上記の位置基準標識を形成できる。
【００１０】
また更に、上記画像読取装置において、色基準板は、枠体が離間した領域において、当該色基準板の表面よりも低い反射率を有する。これにより、当該領域において、色基準板の裏面で生じる反射が、色基準標識の検出に与える影響を低減できる。
【００１１】
また更に、上記画像読取装置において、透孔は、走査方向に係る色基準板の端部のうち、読み取り領域から遠い側の端部に寄せて配置され、且つ、走査方向について非対称な輪郭を有してもよい。これにより、透孔を含む色基準板の装着方向が明瞭に表示され、色基準板の組み付け作業が容易且つ確実になる。
【００１２】
なお、上記の発明の概要は、本発明の必要な特徴の全てを列挙したものではない。また、これらの特徴群のサブコンビネーションもまた、発明となりうる。
【発明を実施するための最良の形態】
【００１３】
以下、発明の実施の形態を通じて本発明を説明するが、以下の実施形態は特許請求の範囲に係る発明を限定するものではない。また、また実施形態の中で説明されている特徴の組み合わせの全てが発明の解決に必須であるとは限らない。
【実施例１】
【００１４】
図１は、読取部１２０を含む画像読取記録装置１００の外観を示す斜視図である。画像読取記録装置１００は、記録部１１０および読取部１２０を重ねて形成される。
【００１５】
記録部１１０は、略立方体をなす下筐体１１１と、下筐体１１１の後方に装着されたペーパサポート１１２と、下筐体１１１の前面に装着された排出トレイ１１４とを含む。記録部１１０は、ペーパサポート１１２に装填された記録用紙を１枚ずつ取り込み、画像を記録した後に排出トレイ１１４に送り出す。
【００１６】
読取部１２０は、相対的に薄い立方体をなす上筐体１２１と、上筐体１２１の上面を覆う原稿押さえ部１２２と、原稿押さえ部１２２の側方に配置された操作パネル１３０とを含む。原稿押さえ部１２２は、その前端に形成された把手１２４に指をかけて、上筐体１２１から持ち上げることができる。操作パネル１３０は、表示部と複数のスイッチとを有して、画像読取記録装置１００を単独で操作する場合のインターフェイスとなる。
【００１７】
図２は、図１に示す画像読取記録装置１００を側方から見た様子を示す側面図である。なお、図１と共通の要素には同じ参照番号を付して重複する説明を省く。
【００１８】
上筐体１２１は、更に、上ハウジング１２３および下ハウジング１２５を含む。これにより、上筐体１２１の内部に、読取部１２０の機構部品を組み込むことができる。
【００１９】
また、上筐体１２１の後端はヒンジ部１２６により下筐体１１１に結合され、読取部１２０全体の前端を持ち上げることができる。これにより、読取部１２０を持ち上げた場合に記録部１１０の下筐体１１１の内部が露出して、記録部１１０の内部を保守できる。なお、保守には、インクカートリッジ等の消耗品の交換、ジャムを起こした記録用紙の除去等が含まれる。
【００２０】
図３は、読取部１２０を単独で示す斜視図である。点線で示す原稿押さえ部１２２を取り除いた場合、上筐体１２１の上面には透明な原稿台１２７が現れる。また、原稿台１２７の周囲において、上筐体１２１の上ハウジング１２３の一部が枠部１２８を形成する。
【００２１】
更に、上筐体１２１の内部には、上筐体１２１の長手方向に延在する案内レール２２０が原稿台１２７を通して見える。案内レール２２０は、点線で示す読取ヘッド２４０が、原稿台１２７の下を走査する場合に、その走査方向を規定する。これにより、読取ヘッド２４０は、図中に矢印で示す走査方向Ｓに往復移動する。
【００２２】
なお、枠部１２８の右手前には原稿位置基準標識１２９が形成され、原稿は、その寸法にかかわらず原稿位置基準標識１２９に接して原稿台１２７に載せられる。また、読取ヘッド２４０は、初期状態において、原稿位置基準標識１２９が形成された側の枠部１２８の下に配されたホームポジョシンに待機する。
【００２３】
図４は、読取部１２０の内部機構２００を示す平面図である。なお、図４は、読取部１２０から原稿押さえ部１２２および上ハウジング１２３を取り除いた状態を示す。また、他の図と共通の要素には同じ参照番号を付して重複する説明を省く。
【００２４】
内部機構２００は、下ハウジング１２５に収容された、案内レール２２０、タイミングベルト２３０、および読取ヘッド２４０を含む。タイミングベルト２３０は、下ハウジング１２５の長手方向両端に配置された一対のプーリ２３２に張り渡される。プーリ２３２の一方はモータ等により回転駆動されるので、タイミングベルト２３０は、案内レール２２０に略平行に走行する。
【００２５】
読取ヘッド２４０は、点線で示す原稿台１２７の前幅にわたって延在する照明部２４２およびラインセンサ２４４を搭載する。また、読取ヘッド２４０は、案内レール２２０に案内されつつ、タイミングベルト２３０に引かれて、原稿台１２７の全面にわたって走査する。更に、読取ヘッド２４０は、図上では右側に位置するホームポジションにおいては、原稿台１２７の外側まで移動する。
【００２６】
図５は、上ハウジング１２３側の内部機構２００を示す分解斜視図である。図５において、上ハウジング１２３は、ホームポジション側における枠部１２８を、上ハウジング１２３を内側から見上げた様子が示される。
【００２７】
枠部１２８の下面は、後述する色基準板２１０と相補的な形状を有する平坦面２１１と、平坦面の長手方向略中央に形成された陥没部２１３とを有する。平坦面２１１には、細長い矩形の色基準板２１０が装着される。なお、色基準板２１０の装着位置を規定する治具を用意することにより、平坦面２１１の形成を省略することもできる。
【００２８】
色基準板２１０の少なくとも下面は、ラインセンサ２４４が画像を読み取る場合の基準となる色、例えば白色を有する。このような色基準板２１０は、例えば、紙、樹脂フィルム等により形成できる。
【００２９】
また、色基準板２１０は、陥没部２１３の形状に対応する位置に透孔２１２を有する。透孔２１２は、色基準板２１０を厚さ方向に貫通して形成される。
【００３０】
図６は、位置基準標識２５０の構造を示す断面図である。色基準板２１０が枠部１２８に装着された場合、色基準板２１０の透孔２１２は枠部１２８の陥没部２１３と同じ位置に配置される。
【００３１】
また、陥没部２１３は、透孔２１２よりも開口面積が広い。これにより、透孔２１２は陥没部２１３の内側に確実に配置され、陥没部２１３の縁部が透孔２１２の内側に現れることが防止される。
【００３２】
このような透孔２１２および陥没部２１３は、協働して位置基準標識２５０を形成する。即ち、読取ヘッド２４０がホームポジションに位置する場合、ラインセンサ２４４は、透孔２１２の輪郭を読み取って位置基準を検出する。このとき、陥没部２１３の底面２１５が色基準板２１０の上面から離隔しているので、透孔２１２の内外で光学的な特性が大きく変化して、位置基準標識２５０の検出が確実になる。
【００３３】
これにより、透孔２１２の輪郭付近に明瞭な光学的コントラストが形成される。また、枠部１２８に対する透孔２１２の位置合わせが容易なので、読取部１２０の組み立て作業も容易になる。
【００３４】
こうして、読み取り領域の表面に原稿を支持する透明な原稿台１２７と、原稿台１２７の縁部において、原稿台１２７を表面から押さえる不透明な枠部１２８と、原稿台１２７の裏面側において原稿台１２７と平行な走査方向に移動しつつ、原稿台１２７に支持された原稿を、原稿台１２７を通して読み取る読取ヘッド２４０と、原稿台１２７および枠部１２８の間に配置され、枠部１２８の裏面まで移動した読取ヘッド２４０が読み取って色較正の基準とする基準色の表面、および、枠部１２８の裏面まで移動した読取ヘッド２４０が読み取って位置較正の基準とする標識となる、走査方向Ｓについて一の位置に形成された透孔２１２を有する色基準板２１０とを備え、透孔２１２を含む領域において、枠部１２８の裏面が色基準板２１０から離間している画像読取部１２０が形成される。
【００３５】
これにより、画像読取装置の部品点数を増加させることなく位置基準標識を形成できる。また、この位置基準標識は、読取ヘッド側から見た場合に、透孔の内部と周囲との間に高い光学的コントラストがあるので、検出が確実且つ容易になる。
【００３６】
図７は、色基準板２１０における透孔２１２の形状と配置を示す図である。色基準板２１０において、透孔２１２は、読取ヘッド２４０の移動方向Ｓについて偏って配置される。
【００３７】
即ち、色基準板２１０は、原稿台１２７に近い側において、ラインセンサ２４４に対して色基準を読み取らせる色基準領域２１４を含む。色基準領域２１４は、色基準板２１０の原稿台１２７に近い側に配置され、ラインセンサ２４４の読み取り幅に相当する幅Ｗを有する。この色基準領域２１４の内部には、透孔２１２を設けないことが好ましい。
【００３８】
一方、透孔２１２を含む区間は、透孔２１２を形成するために存在する。このため、透孔２１２が変形または破断することがない幅を有すれば、色基準板２１０の幅は狭いことが好ましい。
【００３９】
従って、色基準板２１０を単独で見た場合に、透孔２１２は、原稿台１２７から遠い側にオフセットして配置されることが好ましい。これにより、透孔２１２の変形または破損を防止しつつ、色基準板２１０を狭幅化して、読取部１２０の小型化に寄与できる。
【００４０】
なお、上記のような非対称な形状を有する色基準板２１０を上ハウジング１２３に組み付ける場合の作業性を考慮して、透孔２１２自体の形状を非対称にすることも好ましい。この場合、原稿台１２７に近い側、即ち、色基準領域２１４に隣接する透孔２１２の輪郭は、色基準板２１０の長手方向に平行な直線状であることが好ましい。従って、透孔２１２の形状を非対称にする場合は、原稿台１２７および色基準領域２１４から遠い側において、透孔２１２の形状を変形させることが好ましい。
【００４１】
このような構造により、透孔２１２は、走査方向Ｓに係る色基準板２１０の端部のうち、原稿台１２７から遠い側の端部に寄せて配置され、且つ、走査方向Ｓについて非対称な輪郭を有してもよい。これにより、透孔２１２を含む色基準板２１０の装着方向が明瞭に表示され、色基準板２１０の組み付け作業が容易且つ確実になる。
【００４２】
図８は、枠部１２８に形成された陥没部２１３の形状を示す図である。ラインセンサ２４４が位置基準標識２５０を検出する場合、陥没部２１３の底面２１５は、透孔２１２の内側に現れる。従って、透孔２１２の周囲の色基準板２１０とのコントラストを高くする目的で、底面２１５を濃色に塗装する等して照明部２４２の出射光に対して、底面２１５内面の反射率を低くすることが好ましい。
【００４３】
このような構造により、枠部１２８は、色基準板２１０から離間した領域において、色基準板２１０の表面よりも低い反射率を有する。これにより、透孔２１２とその周囲とのコントラストがより明瞭となり、位置基準標識２５０としての透孔２１２を容易且つ確実に検出できる。
【００４４】
更に、底面２１５に、シボ模様等の起伏を形成して粗面化することにより反射率を低下させることがより好ましい。このような構造によれば、上ハウジング１２３を形成する場合に、一括して反射率を低下させる形状を形成できるので、読取部１２０の製造工数を増すことがない。
【００４５】
このような構造により、枠部１２８は、色基準板２１０から離間した陥没部２１３において、反射率の低い粗面を有する。これにより、当該領域の反射率低減を、枠部１２８の成形と同時に実現できる。従って、読取部１２０の製造工数を増すことなく、位置基準標識２５０を形成できる。
【００４６】
更に、同じ目的で、陥没部２１３の内面において、ラインセンサ２４４からは直接に読み取られない部分、例えば、陥没部２１３の側壁２１７、および、色基準板２１０の裏面（図６に符号Ｒで示す）の反射率も低下させることが好ましい。これにより、透孔２１２の内部から出射される反射光量が低下して、ラインセンサ２４４に対して透孔２１２をより際立たせることができる。
【００４７】
このような構造により、色基準板２１０の反射率は、枠部１２８が離間した陥没部２１３において、色基準板２１０の表面よりも低くなる。これにより、当該領域において、色基準板２１０の裏面で生じる反射が、色基準標識の検出に与える影響を低減できる。更に、物理的な形状により所期の光学的コントラストが形成されるので、上ハウジング１２３の色が、例えば、色基準板２１０に近い白色であっても、位置基準標識２５０を確実に検出することができる。
【００４８】
なお、実施の形態を用いて発明を説明したが、本発明の技術的範囲は上記実施の形態に記載の範囲には限定されない。上記実施の形態に、多様な変更または改良を加え得ることは当業者に明らかである。また、その様な変更または改良を加えた形態も本発明の技術的範囲に含まれ得ることは、特許請求の範囲の記載から明らかである。
【図面の簡単な説明】
【００４９】
【図１】画像読取記録装置１００の斜視図である。
【図２】画像読取記録装置１００の側面図である。
【図３】読取部１２０を単独で示す斜視図である。
【図４】読取部１２０の内部機構２００を示す平面図である。
【図５】上ハウジング１２３側の内部機構２００を示す分解斜視図である。
【図６】位置基準標識２５０の構造を示す断面図である。
【図７】色基準板２１０における透孔２１２の形状と配置を示す図である。
【図８】枠部１２８の裏面の形状を示す図である。
【符号の説明】
【００５０】
１００  画像読取記録装置、１１０  記録部、１１１  下筐体、１１２  ペーパサポート、１１４  排出トレイ、１２０  読取部、１２１  上筐体、１２２  原稿押さえ部、１２３  上ハウジング、１２４  把手、１２５  下ハウジング、１２６  ヒンジ部、１２７  原稿台、１２８  枠部、１２９  原稿位置基準標識、１３０  操作パネル、２００  内部機構、２１０  色基準板、２１１  平坦面、２１２  透孔、２１３  陥没部、２１４  色基準領域、２１５  底面、２１７  側壁、２２０  案内レール、２３０  タイミングベルト、２３２  プーリ、２４０  読取ヘッド、２４２  照明部、２４４  ラインセンサ、２５０  位置基準標識
【図１】
0005332239.tif 000002
【図２】
0005332239.tif 000003
【図３】
0005332239.tif 000004
【図４】
0005332239.tif 000005
【図５】
0005332239.tif 000006
【図６】
0005332239.tif 000007
【図７】
0005332239.tif 000008
【図８】
0005332239.tif 000009